(57)【要約】      （修正有）【課題】蓋体開口部を開いた場合における閉鎖タブの開度を安定させ、内容物の取り出し及び／又は取り入れを円滑に行える包装用蓋体を提供する。【解決手段】閉鎖タブ３０が、接続部１１に隣接する基部側に設けられた固定プラグ３２を備え、この固定プラグ３２がキャップに設けられた固定リセス２２内にスナップばめされる。キャップに設けられた係止突起により、閉鎖部３１の開度が、容器本体５０の内容物の取り出し及び／又は取り入れに適した所定角度３０ｂに保持される。【選択図】図２
0003162634.tif 000002
【実用新案登録請求の範囲】
【請求項１】
シート状の樹脂材料を立体成形してなる包装用蓋体であって、
容器本体の本体開口部を覆うように前記容器本体に取り付け可能にされたキャップであって、蓋体開口部を有するキャップと、
先端部側に設けられ前記蓋体開口部を閉鎖可能な閉鎖部を有する閉鎖タブと、を備え、
前記閉鎖タブは固定プラグを更に備え、前記固定プラグが前記キャップに設けられた固定リセス内にスナップばめされる包装用蓋体において、
前記キャップには前記閉鎖部の閉鎖時の軌道に隣接して肩部が設けられ、
前記閉鎖部及び前記肩部の少なくとも一方には係止突起が設けられ、
前記固定プラグが前記固定リセスに嵌合されている状態において、前記閉鎖部は前記開口に向けて付勢され、前記係止突起による前記閉鎖部と前記肩部との干渉により、前記閉鎖部の開度が、前記容器本体の内容物の取り出し及び／又は取り入れに適した所定角度に保持されることを特徴とする包装用蓋体。
【請求項２】
請求項１に記載の包装用蓋体であって、
前記閉鎖タブが接続部によって前記キャップと接続されていることを特徴とする包装用蓋体。
【請求項３】
請求項１又は２に記載の包装用蓋体であって、
前記固定プラグは、平面視における前記閉鎖タブの先端部側の少なくとも一部にアンダーカット部分を有し、その前記閉鎖タブの基部側はその全体が抜け勾配とされていることを特徴とする包装用蓋体。
【考案の詳細な説明】
【技術分野】
【０００１】
本考案は、包装用カップに嵌合して使用され、蓋体開口部を自在に開閉することが可能な蓋体に関する。
【背景技術】
【０００２】
包装用カップの開口部を覆うための蓋体では、蓋体に設けられた飲み口や注ぎ口などの蓋体開口部を、開封後に再び閉鎖できることが望まれる場合がある。特許文献１が開示する各種の態様の蓋体は、包装用カップの開口部（本体開口部）を覆うキャップと、飲み口などの蓋体開口部を閉鎖するための閉鎖タブとを備えている。
【０００３】
特許文献１に開示された各種の態様のうち、閉鎖タブがキャップと別体にされている態様では、閉鎖タブは、ステムによって互いに接続された取り付けプラグと飲み口プラグとを有する。取り付けプラグは取り付けリセスに嵌合し、飲み口プラグは飲み口に嵌合する。ユーザは、飲み口プラグを飲み口から外して蓋体開口部を開き、また飲み口プラグを飲み口に挿入することによって蓋体開口部を封止することができる。蓋体開口部が開いている間、閉鎖タブはその基部において取り付けプラグによってキャップに固定され、落として汚したり紛失したりしないようにされている。
【先行技術文献】
【特許文献】
【０００４】
【特許文献１】特表２００５−５２５２７０号公報
【考案の概要】
【考案が解決しようとする課題】
【０００５】
ところで、このような態様の蓋体では、閉鎖タブが開いているときの開度が定まらないため、容器本体の内容物の取り出し及び／又は取り入れの際に、内容物や容器などの外部構造との関係で閉鎖タブが邪魔になるおそれがある。
【０００６】
そこで本考案の目的は、蓋体開口部を開いた場合における閉鎖タブの開度を安定させ、内容物の取り出し及び／又は取り入れを円滑に行える構造を提供することにある。
【課題を解決するための手段】
【０００７】
本考案の第１の態様は、シート状の樹脂材料を立体成形してなる包装用蓋体であって、容器本体の本体開口部を覆うように前記容器本体に取り付け可能にされたキャップであって、蓋体開口部を有するキャップと、先端部側に設けられ前記蓋体開口部を閉鎖可能な閉鎖部を有する閉鎖タブと、を備え、前記閉鎖タブは固定プラグを更に備え、前記固定プラグが前記キャップに設けられた固定リセス内にスナップばめされる包装用蓋体において、前記キャップには前記閉鎖部の閉鎖時の軌道に隣接して肩部が設けられ、前記閉鎖部及び前記肩部の少なくとも一方には係止突起が設けられ、前記固定プラグが前記固定リセスに嵌合されている状態において、前記閉鎖部は前記開口に向けて付勢され、前記係止突起による前記閉鎖部と前記肩部との干渉により、前記閉鎖部の開度が、前記容器本体の内容物の取り出し及び／又は取り入れに適した所定角度に保持されることを特徴とする包装用蓋体である。
【０００８】
この態様では、係止突起の作用によって、閉鎖部の開度が所定角度に保持されるので、容器本体の内容物の取り出し及び／又は取り入れを円滑に行うことができる。
【０００９】
好適には、前記閉鎖タブが接続部によって前記キャップと接続されている。この態様では、包装する者が閉鎖タブをキャップとは別途に管理する必要がない上、閉鎖タブの固定プラグがキャップの固定リセス内にスナップばめされるので、蓋体開口部を開いた場合における閉鎖タブの位置を安定させ、内容物の取り出しを円滑に行うことができる。
【００１０】
好適には、前記固定プラグは、平面視における前記閉鎖タブの先端部側の少なくとも一部にアンダーカット部分を有し、その前記閉鎖タブの基部側はその全体が抜け勾配とされている。この態様では、固定プラグの先端部側を先に固定リセスに挿入し、その後に固定プラグの基部側を挿入することにより、固定リセスに円滑に嵌合させることができる。また、嵌合後に閉鎖タブをキャップから引き剥がそうとする力は、主として固定プラグの基部側を支点として作用するので、アンダーカット部分の作用によって固定プラグを外れにくくすることができる。さらに、閉鎖タブが接続部によってキャップと接続されている場合には、接続部を引き上げることにより固定プラグを容易に外すことも可能である。
【図面の簡単な説明】
【００１１】
【図１】本考案の実施形態に係る包装用蓋体を示す斜視図である。
【図２】包装用蓋体の使用状態を示す側面図である。
【図３】閉鎖部を示す平面図である。
【図４】包装用蓋体の組立工程を示す要部側面図である。
【考案を実施するための形態】
【００１２】
本考案の好適な実施形態について、以下に詳細に説明する。図１において、蓋体１０は、シート状の可撓性の樹脂材料から熱成形処理によって製造される。蓋体１０には、ポリスチレン及び他の熱可塑性樹脂材料を特に好適に用いることができる。蓋体１０は、容器本体５０（図２参照。なお図２及び図４では理解を容易にするため厚みを強調して示している）の本体開口部５１を覆うように、容器本体５０に取り外し可能に取り付けることができる。容器本体５０は例えばカップ状又はトレイ状であり、紙又はポリプロピレンなどの樹脂によって構成することができる。
【００１３】
蓋体１０は、キャップ２０と閉鎖タブ３０とを有する。これらキャップ２０と閉鎖タブ３０とは、接続部１１によって相互に接続されている。キャップ２０、閉鎖タブ３０及び接続部１１は一連の連続したシートから真空成形によって形成され、且つ互いに切り離されていない。
【００１４】
キャップ２０は、内容物（例えばふりかけなどの粒状物）が通過可能な開口部である蓋体開口部２１を有する。蓋体開口部２１の後方及び左右側方を囲むように、上向きに突出した台部２３が設けられ、台部２３の左右片には、更に上向きに突出した平面視で弧状の弧状突起部２４がそれぞれ設けられている。
【００１５】
閉鎖タブ３０は、その先端部側に設けられた閉鎖部３１と、接続部１１に隣接する基部側に設けられた固定プラグ３２とを有する。閉鎖部３１は、キャップ２０の蓋体開口部２１の全体を覆うことができる。閉鎖部３１の先端部の近傍には、これを閉じた状態において上向きに突出する突起部３３（図２・図３参照）が設けられている。突起部３３の高さは、閉鎖部３１が閉じた状態においてキャップ２０の弧状突起部２４と等しくされ、これによって包装体の積み重ねに適した平面が提供される。
【００１６】
キャップ２０の台部２３には、閉鎖タブ３０の固定プラグ３２を嵌合させるための固定リセス２２が設けられている。図３に示されるように、固定プラグ３２は、平面視における閉鎖タブ３０の先端部側の少なくとも一部に、アンダーカット部分３４を有する。また固定プラグ３２における閉鎖タブ３０の基部側の領域３５は、その全体が固定リセス２２に向かう方向に関して抜け勾配とされている。閉鎖タブ３０のこのような形状に対応して、固定リセス２２の形状も同様に構成されており、固定リセス２２は蓋体開口部２１に近い側の少なくとも一部に、アンダーカット部分２７を有し、またその逆側の領域２８が抜け勾配とされている。
【００１７】
再び図１において、キャップ２０の台部２３には、閉鎖部３１の閉鎖時の軌道に隣接して肩部２７が設けられ、肩部２７には内向きに突出した係止突起２８，２９が設けられている。閉鎖部３１を閉じた状態における係止突起２８，２９に対応する位置には、それぞれ凹部３６，３７が設けられており、これによって閉鎖部３１の閉鎖状態が維持される。閉鎖部３１の基部の底面の左右には、誘導突起３８が設けられ、これら誘導突起３８が、基部側の係止突起２９と干渉する。
【００１８】
キャップ２０の台部２３の中央部であって、蓋体開口部２１と固定リセス２２との間には、上向きに突出した略円筒面状の補強突起２３ａが設けられている。この補強突起２３ａに対応して、閉鎖タブ３０にも同様の形状の補強突起３０ａが設けられている。これら補強突起２３ａ，３０ａは、キャップ２０と閉鎖タブ３０における周辺部分に剛性を付与している。
【００１９】
キャップ２０の外周縁に沿って、下向きの環状スカート部２５が設けられている。環状スカート部２５には、内向きに突出する複数のリブ２６が等角度間隔に設けられている。接続部１１には曲げ易さを促進するために、複数のコルゲーション部１２が設けられている。
【００２０】
以上のとおり構成された包装用蓋体１０は、閉鎖タブ３０の固定プラグ３２を、キャップ２０の固定リセス２２に挿入して使用される。この固定の際には、ユーザは図４に示されるように、まず固定プラグ３２の先端側（アンダーカット部３４の近傍）を固定リセス２２に挿入し、アンダーカット部２７，３４を互いに係合させ、その後、固定プラグ３２の後端側を下向き（図４中矢印Ａ方向）に押し込むことによって、固定プラグ３２を固定リセス２２に嵌合させる。
【００２１】
固定プラグ３２が固定リセス２２に嵌合されている状態において、閉鎖部３１は素材の弾発力によって蓋体開口部２１に向けて付勢され、係止突起２９による閉鎖部３１と肩部２７との干渉により、閉鎖部３１の開度が、容器本体５０の内容物の取り出し及び／又は取り入れに適した所定角度（図２において符号３０ｂで示される）に保持される。このとき、係止突起２９は誘導突起３８の外側に設けられた誘導斜面３８ａ（図３参照）に当接しており、この状態からユーザが閉鎖部３１を更に下向きに押し込むと、閉鎖部３１及び肩部２７の双方が互いに離れる方向に弾性変形し、係止突起２９が誘導斜面３８ａを乗り越える。そして係止突起２９が閉鎖部３１の基部側の凹部３７に、また係止突起２８が閉鎖部３１の先端側の凹部３６にそれぞれ嵌合することにより、閉鎖部３１が閉鎖状態（図２において符号３０ａで示される）となる。
【００２２】
以上のとおり、本実施形態では、係止突起２９の作用によって、閉鎖部３１の開度が容器本体の内容物の取り出し及び／又は取り入れの際に内容物や容器などの外部構造との関係で邪魔にならないような所定角度に保持されるので、容器本体の内容物の取り出し及び／又は取り入れを円滑に行うことができる。
【００２３】
また、本実施形態では、閉鎖タブ３０が接続部１１によってキャップ２０と接続されているので、包装する者が閉鎖タブ３０をキャップ２０とは別途に管理する必要がない上、閉鎖タブ３０が、接続部１１に隣接する基部側に設けられた固定プラグ３２を更に備え、この固定プラグ３２がキャップ２０の固定リセス２２内にスナップばめされるので、蓋体開口部２１を開いた場合における閉鎖タブ３０の位置を安定させ、内容物の取り出しを円滑に行うことができる。
【００２４】
また、閉鎖タブ３０に固定プラグ３２を設けた蓋体では、固定プラグ３２がキャップ２０の固定リセス２２に円滑に嵌合でき、しかも嵌合後には外れにくいことが望ましいが、この点、本実施形態では、固定プラグ３２が、平面視におけるその先端部側の少なくとも一部にアンダーカット部分３４を有し、その基部側３５はその全体が抜け勾配とされているので、固定プラグ３２の先端部側を先に固定リセス２２に挿入し、その後に固定プラグ３２の基部側３５を挿入することにより、固定リセス２２に円滑に嵌合させることができる。また、嵌合後に閉鎖タブ３０をキャップ２０から引き剥がそうとする力は、主として固定プラグ３２の基部側３５を支点として作用するので（図２における矢印Ｂ）、アンダーカット部分３４の作用によって固定プラグ３２を外れにくくすることができる。
【００２５】
また、本実施形態では、固定プラグ３２及び固定リセス２２が、その平面視における中央部分に対して両端部分が、閉鎖部３１に向けて突出しているため、閉鎖状態から閉鎖部３１を上向きに引張った場合に、固定プラグ３２の両端部分が中央部分に向かう方向に変形し、これによって固定プラグ３２を固定リセス２２から外れにくくすることができる。他方、固定プラグ３２の基部側３５の全体が抜け勾配とされているので、接続部１１を引き上げることにより固定プラグ３２を容易に外すことも可能である。
【００２６】
なお、上記各実施形態では、本考案をある程度の具体性をもって説明したが、本考案については、請求の範囲に記載された考案の精神や範囲から離れることなしに、さまざまな改変や変更が可能であることは理解されなければならない。すなわち、本考案は請求の範囲およびその等価物の範囲および趣旨に含まれる修正および変更を包含するものである。例えば、上記実施形態では係止突起２９をキャップ２０に設けたが、係止突起は閉鎖部３１に設けてもよく、閉鎖部３１及び肩部２７の両方に設けてもよい。また、閉鎖タブ３０の閉鎖部３１は蓋体開口部２１に上面から接することでこれを閉鎖する構成としたが、閉鎖部３１の一部が蓋体開口部２１の内周面に嵌合することによってこれを液密に封止することとしてもよい。また、上記実施形態では係止突起をキャップ２０の左右の肩部２７にそれぞれ設けたが、係止突起は左右の肩部２７のうちの片方、及び／又は閉鎖部３１の左右のうちの片方に設けてもよい。接続部１１は省略してもよく、また接続部１１を有する構成においてコルゲーション部１２を省略してもよい。
【図１】
0003162634.tif 000003
【図２】
0003162634.tif 000004
【図３】
0003162634.tif 000005
【図４】
0003162634.tif 000006